(57)【要約】      （修正有）【課題】キャノピー上の雨水が他のものの上に落ちない傘を提供する。【解決手段】傘は、シャフト１７と、摺動アセンブリ１００と、キャノピー支持棒１３と、接続棒１６と、キャノピー２１とを備える。摺動アセンブリ１００は、摺動可能にシャフト１７を覆うスリーブ状であり、摺動アセンブリ１００は、上部摺動部４と、下部摺動部３と、中央摺動部２とを有し、上部摺動部４は下部摺動部３に接続され、中央摺動部は上部摺動部４と下部摺動部３との間に位置する。接続棒１６の第一の端部は中央摺動部２とヒンジ状に接続され、接続棒１６の第二の端部はキャノピー支持棒１３に摺動可能に接続され、傘を閉じる又は開く過程において、接続棒１６の第二の端部は、キャノピー支持棒１３に対して摺動し、キャノピー２１はキャノピー支持棒１３上に配置される。【選択図】図１
0003206478.tif 000002
【実用新案登録請求の範囲】
【請求項１】
シャフト（１７）と、摺動アセンブリ（１００）と、キャノピー支持棒（１３）と、接続棒（１６）と、キャノピー（２１）とを備える傘であって、
前記摺動アセンブリ（１００）は、摺動可能に前記シャフト（１７）を覆うスリーブ状であり、前記摺動アセンブリ（１００）は、上部摺動部（４）と、下部摺動部（３）と、中央摺動部（２）とを有し、前記上部摺動部（４）は前記下部摺動部（３）に接続され、前記中央摺動部（２）は前記上部摺動部（４）と前記下部摺動部（３）との間に位置し、前記上部摺動部（４）と前記中央摺動部（２）との間には第一の弾性部材が配置され、前記下部摺動部（３）と前記中央摺動部（２）との間には第二の弾性部材が配置され、
前記キャノピー支持棒（１３）の第一の端部は、前記上部摺動部（４）とヒンジ状に接続され、
前記接続棒（１６）の第一の端部は前記中央摺動部（２）とヒンジ状に接続され、前記接続棒（１６）の第二の端部は前記キャノピー支持棒（１３）に摺動可能に接続され、当該傘を閉じる又は開く過程において、前記接続棒（１６）の前記第二の端部は、前記キャノピー支持棒（１３）に対して摺動し、
前記キャノピー（２１）は前記キャノピー支持棒（１３）上に配置され、
前記摺動アセンブリ（１００）が前記シャフト（１７）の上端から前記シャフト（１７）の下端へと摺動する際、前記キャノピー支持棒（１３）の前記第一の端部は前記摺動アセンブリ（１００）と共に前記シャフト（１７）の前記下端へと移動して、前記キャノピー（２１）の外表面は前記シャフト（１７）へと折り畳まれる、
傘。
【請求項２】
前記摺動アセンブリ（１００）は、前記上部摺動部（４）と前記下部摺動部（３）とを接続する接続スリーブ（３１）を更に有し、前記接続スリーブ（３１）は、前記シャフト（１７）を覆うスリーブ状であり、前記接続スリーブ（３１）の一端は前記上部摺動部（４）に接続され、前記接続スリーブ（３１）の他端は前記下部摺動部（３）に接続され、前記中央摺動部（２）は、摺動可能に前記接続スリーブ（３１）を覆うスリーブ状である、
請求項１に記載の傘。
【請求項３】
前記接続スリーブ（３１）は、前記上部摺動部（４）又は前記下部摺動部（３）と一体となっている、
請求項２に記載の傘。
【請求項４】
前記シャフト（１７）の前記上端には、双方向ロックバックル（１）と第一の一方向ロックバックル（７）とが配置され、当該傘が開いた状態にある時、前記摺動アセンブリ（１００）は前記シャフト（１７）の前記上端に位置し、前記双方向ロックバックル（１）は前記中央摺動部（２）をロックして前記中央摺動部（２）が動かないようにし、前記第一の一方向ロックバックル（７）は前記下部摺動部（３）をロックして前記下部摺動部（３）が下方向に移動しないようにする、
請求項１に記載の傘。
【請求項５】
前記シャフト（１７）の前記下端には、ロックビーズ（９）と、第二の一方向ロックバックル（８）とが配置され、当該傘が閉じた状態にある時、前記摺動アセンブリ（１００）は前記シャフト（１７）の前記下端に位置し、前記ロックビーズ（９）は前記中央摺動部（２）をロックして前記中央摺動部（２）が動かないようにし、前記第二の一方向ロックバックル（８）は前記下部摺動部（３）をロックして前記下部摺動部（３）が上方向に移動しないようにする、
請求項１に記載の傘。
【請求項６】
前記接続棒（１６）の前記第二の端部は、摺動接続アセンブリ（１９）を介して前記キャノピー支持棒（１３）に摺動可能に接続され、前記キャノピー支持棒（１３）は、長手方向の開口（１３１）を有する円筒状の筒体であって、前記摺動接続アセンブリ（１９）は、前記円筒状の筒体内部に位置する球状部（１９１）と、前記球状部（１９１）に接続され前記開口（１３１）から突出する接続片（１９２）と、を有し、前記接続片（１９２）は、前記接続棒（１６）の前記第二の端部にヒンジ状に接続される、
請求項１に記載の傘。
【請求項７】
前記キャノピー支持棒（１３）には、二つの群の位置固定アセンブリが配置され、前記摺動接続アセンブリ（１９）は、前記二つの群の位置固定アセンブリの間に位置し、各位置固定アセンブリは、位置固定リング（１４）と位置固定部（１５）とを有し、前記位置固定リング（１４）は、前記キャノピー支持棒（１３）を覆うスリーブ状であって開口を有するリング部（１４０）と、前記リング部（１４０）の前記開口の二つの側面から前記キャノピー支持棒（１３）の内側に向かって延びるよう形成された二つの締め付けアーム（１４１）と、を含み、前記位置固定部（１５）は、前記二つの締め付けアーム（１４１）の間で締め付けられて、前記位置固定リング（１４）を前記キャノピー支持棒（１３）に固定する、
請求項６に記載の傘。
【請求項８】
Ω形状の安定器（２０）が前記キャノピー支持棒（１３）の内部に設けられ、前記安定器（２０）は、前記摺動接続アセンブリ（１９）と前記キャノピー支持棒（１３）の前記第一の端部との間に位置して、当該傘を開く時に前記キャノピー支持棒（１３）が外側に回転することを防止する、
請求項６に記載の傘。
【請求項９】
前記上部摺動部（４）と前記シャフト（１７）との間に封止リング（１１）が設けられる、
請求項１に記載の傘。
【請求項１０】
前記シャフト（１７）の前記上端の端部には、下向きの開口を有する水溜部（５）と、前記シャフト（１７）の前記端部に前記水溜部（５）を固定するための石突き（６）と、が配置される、
請求項１に記載の傘。
【考案の詳細な説明】
【技術分野】
【０００１】
本出願は、２０１３年１０月４日出願の米国仮特許出願公開第６１／８８６，６６３に基づいて優先権を主張する。この出願の内容を参照によりここに引用する。
【０００２】
本出願は、傘に関し、特に濡れたキャノピー上の雨水が他のものの上に落ちない傘に関する。
【背景技術】
【０００３】
従来の傘において、キャノピー支持棒の上端はシャフトの上端に接続され、傘を閉じる時には、上端の接続箇所を中心にキャノピー支持棒をシャフトへと折り畳むので、傘を閉じるには、傘の下部位置近傍で大きな空間が必要となる。この結果、雨の日に自動車に入る時には、傘を上手く閉じるために自動車のドアを大きく開ける必要がある。さらに、従来の傘を閉じた後に、雨で濡れた傘の表面が外側になるために、傘の使用者、周囲の人、又は車内の他のものが濡れやすくなる。
【考案の概要】
【０００４】
本出願の目的は、傘を提供することにある。傘を閉じる時に、キャノピー支持棒を外側に回転させてシャフトへと折り畳むので、使用者は自動車内に入った後に自動車のドアを僅かに開けることで傘を閉じることができ、更に、閉じた傘の濡れた表面は内側にあるので、周囲の人やものが濡れることはない。
【０００５】
本出願により提供される傘は、シャフトと、摺動アセンブリと、キャノピー支持棒と、接続棒と、キャノピーとを備える。
【０００６】
摺動アセンブリは、摺動可能にシャフトを覆うスリーブ状であってもよい。摺動アセンブリは、上部摺動部と、下部摺動部と、中央摺動部とを有してもよい。上部摺動部は、下部摺動部に接続されてもよい。中央摺動部は、上部摺動部と下部摺動部との間に位置してもよい。上部摺動部と中央摺動部との間に、第一の弾性部材が配置されてもよい。下部摺動部と中央摺動部との間には、第二の弾性部材が配置されてもよい。
キャノピー支持棒の第一の端部は、上部摺動部とヒンジ状に接続されてもよい。
接続棒の第一の端部は、中央摺動部とヒンジ状に接続されてもよい。接続棒の第二の端部は、キャノピー支持棒に摺動可能に接続されてもよい。傘を閉じる又は開く過程において、接続棒の第二の端部は、キャノピー支持棒に対して摺動する。
キャノピーはキャノピー支持棒上に配置されてもよい。
摺動アセンブリがシャフトの上端からシャフトの下端へと摺動する際、キャノピー支持棒の第一の端部は摺動アセンブリと共にシャフトの下端へと移動して、キャノピーの外表面はシャフトへと折り畳まれる。
【０００７】
本出願の傘において、摺動アセンブリは、上部摺動部と下部摺動部とを接続する接続スリーブを更に有してもよい。接続スリーブは、シャフトを覆うスリーブ状であってもよい。接続スリーブの一端は上部摺動部に接続され、接続スリーブの他端は下部摺動部に接続されてもよい。中央摺動部は、摺動可能に接続スリーブを覆うスリーブ状であってもよい。
【０００８】
本出願の傘において、接続スリーブは、上部摺動部又は下部摺動部と一体となっていてもよい。
【０００９】
本出願の傘において、シャフトの上端には、双方向ロックバックルと第一の一方向ロックバックルとが配置されていてもよい。傘が開いた状態にある時、摺動アセンブリはシャフトの上端に位置し、双方向ロックバックルは中央摺動部をロックして中央摺動部が動かないようにし、第一の一方向ロックバックルは下部摺動部をロックして下部摺動部が下方向に移動しないようにしてもよい。
【００１０】
本出願の傘において、シャフトの下端には、ロックビーズと、第二の一方向ロックバックルとが配置されてもよい。傘が閉じた状態にある時、摺動アセンブリはシャフトの下端に位置し、ロックビーズは中央摺動部をロックして中央摺動部が動かないようにし、第二の一方向ロックバックルは下部摺動部をロックして下部摺動部が上方向に移動しないようにしてもよい。
【００１１】
本出願の傘において、接続棒の第二の端部は、摺動接続アセンブリを介してキャノピー支持棒に摺動可能に接続されてもよい。キャノピー支持棒は、長手方向の開口を有する円筒状の筒体であってもよい。摺動接続アセンブリは、円筒状の筒体内部に位置する球状部と、球状部に接続され開口から突出する接続片と、を有してもよい。接続片は、接続棒の第二の端部にヒンジ状に接続されてもよい。
【００１２】
本出願の傘において、キャノピー支持棒には、二つの群の位置固定アセンブリが配置されてもよい。摺動接続アセンブリは、二つの群の位置固定アセンブリの間に位置してもよい。各位置固定アセンブリは、位置固定リングと位置固定部とを有してもよい。位置固定リングは、キャノピー支持棒を覆うスリーブ状であって開口を有するリング部と、リング部の開口の二つの側面からキャノピー支持棒の内側に向かって延びるよう形成された二つの締め付けアームと、を含んでもよい。位置固定部は、二つの締め付けアームの間で締め付けられて、位置固定リングをキャノピー支持棒に固定してもよい。
【００１３】
本出願の傘において、Ω形状の安定器がキャノピー支持棒の内部に設けられてもよい。安定器は、摺動接続アセンブリとキャノピー支持棒の第一の端部との間に位置し、傘を開く時にキャノピー支持棒が外側に回転することを防止してもよい。
【００１４】
本出願の傘において、上部摺動部とシャフトとの間に封止リングが設けられてもよい。
【００１５】
本出願の傘において、シャフトの上端の端部には、下向きの開口を有する水溜部と、シャフトの端部に水溜部を固定するための石突きとが配置されてもよい。
【００１６】
本出願の傘を実施することにより、以下のような効果が得られる。傘を閉じるとき、キャノピーの濡れた表面がシャフトへと内側に折り畳まれ、キャノピー支持棒が外側に回転してシャフトへと折り畳まれるので、使用者は自動車内に入った後に自動車のドアを僅かに開けることで傘を閉じることができ、更に、閉じた傘の濡れた表面は内側にあるので、周囲の人や物が濡れることはない。
【図面の簡単な説明】
【００１７】
以下のような添付の図面及び実施態様を参照して、本出願を更に説明する。
【図１】閉じた状態にある本出願の傘を示す概略図である。
【図２】本出願の傘において下部摺動部が第二の一方向ロックバックルから外れた様子を示す概略図である。
【図３】本出願の傘において中央摺動部がロックビーズから外れた様子を示す概略図である。
【図４】本出願の傘において摺動アセンブリがシャフトの上端に移動する様子を示す概略図である。
【図５】完全に開いた状態にある本出願の傘を示す概略図である。
【図６ａ】本出願の傘において下部摺動部が第一の一方向ロックバックルから外れた様子を示す概略図である。
【図６ｂ】図６ａにおけるＤの部分の拡大図である。
【図７ａ】本出願の傘において中央摺動部が双方向ロックバックルから外れようとする様子を示す概略図である。
【図７ｂ】図７ａにおけるＤの部分の拡大図である。
【図８】本出願の傘において摺動アセンブリがシャフトの下端に向かって下方向へと移動し続ける様子を示す概略図である。
【図９】本出願の傘において摺動アセンブリがシャフトの下端へと移動する様子を示す概略図である。
【図１０】本出願の傘において下部摺動部が第二の一方向ロックバックルにバックル固定された様子を示す概略図である。
【図１１】完全に閉じた状態にある本出願の傘を示す概略図である。
【図１２】本出願の傘におけるシャフトの下端部のロックビーズの別の構造を示す概略図である。
【図１３ａ】本出願の傘におけるキャノピー支持棒と接続棒との接続構造を示す概略分解図である。
【図１３ｂ】本出願の傘においてキャノピー支持棒と接続棒との接続構造を示す概略図である。
【図１４】本出願の傘におけるキャノピー支持棒上の位置固定アセンブリを示す概略分解図である。
【図１５】本出願の傘においてキャノピー支持棒上の止め構造（ｓｔｏｐ  ｓｔｒｕｃｔｕｒｅ）を組み立てる様子を示す概略図である。
【図１６】本出願の傘におけるキャノピー支持棒上の安定器を示す概略構造図である。
【図１７】本出願の傘における摺動アセンブリを示す概略分解図である。
【考案を実施するための形態】
【００１８】
本出願の技術的特徴、目的及び効果をより明確に理解するために、本出願の具体的な実施態様を、添付の図面を参照しながら詳細に説明する。
【００１９】
本出願の傘の実施態様を以下に詳細に記載し、これら実施態様の例を添付の図面に示す。なお、同一の又は同様の参照符号は、同一の又は同様の部材、又は同一の又は同様の機能を有する部材を表す。
【００２０】
本出願の傘の説明において、「前」、「後」、「上」、「下」、「上端」、「下端」、「上部」及び「下部」等の表現によって示される位置や位置関係は、添付の図面に基づく位置又は位置関係のことであり、本出願の説明を容易かつ簡単にするためだけのものであって、示した装置や部材が特定の位置を有さねばならない、又は特定の位置で形成され及び動作せねばならないことを示す又は示唆するものではなく、故に、これらの表現を、本出願を限定するものと解釈すべきではない。更に、「第一」、「第二」等の表現は、説明のためだけのものであって、相対的な重要性を示す又は示唆するものと解釈すべきではない。
【００２１】
本出願の傘の実施態様を示す概略図である、図１〜図１７を参照する。図１〜図５は、本出願の傘の、閉じた状態から開いた状態への変化を示す概略図である。図６ａ〜図１１は、本出願の傘の、開いた状態から閉じた状態への変化を示す概略図である。図１２〜図１７は、本出願の傘の部分的な構造を示す概略図である。
【００２２】
図１〜図１７を参照すると、本出願の傘は、シャフト１７と、摺動アセンブリ１００と、キャノピー支持棒１３と、接続棒１６と、キャノピー２１とを備える。摺動アセンブリ１００は、摺動可能にシャフト１７を覆うスリーブ状となっている（ｓｌｅｅｖｅｄ）。図１７を参照すると、摺動アセンブリ１００は、上部摺動部４と、下部摺動部３と、中央摺動部２とを有し、上部摺動部４は下部摺動部３に接続され、中央摺動部２は上部摺動部４と下部摺動部３との間に位置し、上部摺動部４と下部摺動部３との間を上下に移動可能である。上部摺動部４と中央摺動部２との間には、第一の弾性部材１０が配置され、下部摺動部３と中央摺動部２との間には、第二の弾性部材１２が配置される。本実施態様において、摺動アセンブリ１００は、上部摺動部４と下部摺動部３とを接続する接続スリーブ３１を更に有する。接続スリーブ３１は、シャフト１７を覆うスリーブ状であり、シャフト１７に対して摺動可能である。接続スリーブ３１の一端は上部摺動部４に接続され、接続スリーブ３１の他端は下部摺動部３に接続される。中央摺動部２は、摺動可能に接続スリーブ３１を覆うスリーブ状となっている。本実施態様において、接続スリーブ３１は、下部摺動部３と一体となっており、上部摺動部４は、ねじによって（ｔｈｒｅａｄｅｄ  ｍａｎｎｅｒ）接続スリーブ３１に接続される。ただし、接続スリーブ３１は独立した部材であってもよく、上部摺動部４と一体となっていてもよい。本実施態様において、第一の弾性部材１０と第二の弾性部材１２とは、共にぜんまいバネである。第一の弾性部材１０の上端は、上部摺動部４と隣接し、第一の弾性部材１０の下端は、中央摺動部２と隣接する。第二の弾性部材１２の上端は、中央摺動部２と隣接し、第二の弾性部材１２の下端は、下部摺動部３と隣接する。なお、第一の弾性部材１０と第二の弾性部材１２とは、別の適当な弾性部材であってもよく、ぜんまいバネに限定されない。
【００２３】
図１〜図１７を参照すると、本出願の傘のキャノピー支持棒１３の第一の端部は、上部摺動部４とヒンジ状に接続され、接続棒１６の第一の端部は、中央摺動部２とヒンジ状に接続され、接続棒１６の第二の端部は、キャノピー支持棒１３に摺動可能に接続される。本実施態様において、接続棒１６の第二の端部は、キャノピー支持棒１３に配置された摺動接続アセンブリ１９を介して、キャノピー支持棒１３に摺動可能に接続される。図１３ａ及び図１３ｂを参照すると、本実施態様において、キャノピー支持棒１３は、長手方向の開口１３１を有する円筒状の筒体である。摺動接続アセンブリ１９は、円筒状の筒体内部に位置する球状部１９１と、球状部１９１に接続され長手方向の開口１３１から突出する接続片１９２と、を有する。接続片１９２は、接続棒１６の第二の端部にヒンジ状に接続される。球状部１９１は、キャノピー支持棒１３の内部を摺動可能である。なお、接続棒１６の第二の端部が摺動可能にキャノピー支持棒１３に確実に接続されるような、他の適当な構造を使用してもよい。摺動接続アセンブリ１９の移動範囲を限定するために、キャノピー支持棒１３には、二つの群の位置固定アセンブリが配置されており、摺動接続アセンブリ１９は、この二つの群の位置固定アセンブリの間に位置する。図１４及び図１５を参照すると、各位置固定アセンブリは、位置固定リング１４と位置固定部１５とを有する。位置固定リング１４は、キャノピー支持棒１３を覆うスリーブ状の、開口を有するリング部１４０と、リング部１４０の開口の二つの側面からキャノピー支持棒１３の内側に向かって延びるよう形成された二つの締め付けアーム１４１とを含む。位置固定部１５は、二つの締め付けアーム１４１の間で締め付けられ、位置固定リング１４をキャノピー支持棒１３に固定する。組立の際、まず位置固定リング１４がキャノピー支持棒１３にスリーブ状に取り付けられ、必要な位置に移動させられ、その後、位置固定部１５を位置固定リング１４の二つの締め付けアーム１４１間で締め付けて、キャノピー支持棒１３に位置固定リングを固定する。
【００２４】
図１〜図１７を参照すると、本実施態様において、シャフト１７の上端には、双方向ロックバックル１と、第一の一方向ロックバックル７と、が配置されている。双方向ロックバックル１の二つのバックルの間の距離は、中央摺動部２の高さと同じであり、二つのバックルは、中央摺動部２の二つの端部にロック可能である。傘が開いた状態にある時、摺動アセンブリ１００はシャフト１７の上端に位置し、双方向ロックバックル１は中央摺動部２をロックして中央摺動部２が動かないようにし、第一の一方向ロックバックル７は下部摺動部３をロックして下部摺動部３が下方向に移動しないようにする。シャフト１７の下端には、ロックビーズ９と、第二の一方向ロックバックル８と、が配置される。傘が閉じた状態にある時、摺動アセンブリ１００はシャフト１７の下端に位置し、ロックビーズ９は中央摺動部２をロックして中央摺動部２が動かないようにし、第二の一方向ロックバックル８は下部摺動部３をロックして下部摺動部３が上方向に移動しないようにする。図１２を参照して、本出願の傘においてシャフト１７の下端にあるロックビーズ９を、一方向ロックバックル９１に置き換えてもよい。本出願の双方向ロックバックル１、第一の一方向ロックバックル７、第二の一方向ロックバックル８等は、傘において一般的に使用されるバックル構造を有し、各バックル構造は、ボルトと、このボルトと協働するバネとを備える。ロックビーズ９は、ビーズと、このビーズと協働するバネとを備える。ロックビーズ９も、一般的な弾性位置固定構造である。
【００２５】
図１６を参照すると、本実施態様では、傘を開く時に風等の外的な力によってキャノピー支持棒１３とキャノピー２１とが外側に回転しないようにするために、Ω形状の安定器２０がキャノピー支持棒１３の内部に設けられる。安定器２０は、摺動接続アセンブリ１９とキャノピー支持棒１３の第一の端部との間に位置し、傘を開く時にキャノピー支持棒１３が外側に回転しないようにする。傘が完全に開いた時、安定器２０による制限を受けて、摺動接続アセンブリ１９がキャノピー支持棒１３の第一の端部まで摺動し続けることができないので、キャノピー支持棒１３とキャノピー２１とが外側に回転しないようになっている。
【００２６】
本実施態様において、キャノピー２１は、キャノピー支持棒１３上に配置される。キャノピー２１は、防水加工したキャノピー又はその他の適当な材質のものであってもよい。例えば、傘が日傘の場合には、キャノピー２１は、放射線防止用のキャノピーであってよく、耐放射線機能を有する防水加工されたキャノピーであってもよい。このように、傘は、雨傘と日傘の両方に使用可能である。
【００２７】
本実施態様において、雨水がシャフト１７を伝って下に流れ落ちないようにするために、上部摺動部４とシャフト１７との間に封止リング１１が設けられる。封止リング１１は、プラスチック製の封止リングであってよい。傘を閉じた時に雨水が他のものの上に落ちないようにするために、シャフト１７の上端の端部には、下向きの開口を有する水溜部５と、シャフト１７の端部に水溜部５を固定するための石突き６とが配置されてもよい。閉じた傘を逆向きに置く時には、水溜部５の開口が上を向き、キャノピー２１を伝って流れ落ちる雨水を回収するのに使用可能である。シャフト１７の最下端には、傘を支持するのに便利な握り部１８が設けられる。
【００２８】
前述の記載において、本出願の傘の実施態様の特定の構造について、添付の図面を参照しながら詳細に述べたが、以下、本出願の傘がどのように動作するかについて、添付の図面を参照しながら詳細に述べる。
【００２９】
本出願の傘が閉じた状態にある時の概略図である、図１及び図１１を参照すると、下部摺動部３と第二の一方向ロックバックル８とがバックル固定された状態にあるので、下部摺動部３はシャフト１７の上端の方へと移動せず、中央摺動部２とロックビーズ９とがバックル固定された状態にあるので、中央摺動部２は動かない。この場合、第一の弾性部材１０は、若干圧縮された状態にあり、第二の弾性部材１２は、緩んだ状態、即ち、弾性変形がない状態にあって、キャノピー支持棒１３はシャフト１７へと折り畳まれ、キャノピー２１の外側表面、即ち、雨天時に雨で濡れた表面は、シャフト１７へと折り畳まれる。図１１において、傘は、ストラップ２２を更に有し、ストラップ２２の一端は握り部１８に接続され、ストラップ２２の他端は石突き６に接続される。このように、使用者は傘を便利に携帯することが可能である。
【００３０】
図２を参照すると、傘を開く時には、第二の一方向ロックバックル８がまず圧縮され、第二の一方向ロックバックル８が下部摺動部３から外される。中央摺動部２は、ロックビーズ９によって固定されたままであり、第一の弾性部材１０は圧縮状態により発生する弾性力の下で上部摺動部４を押し、上部摺動部４は下部摺動部３をシャフト１７に沿って上方向に摺動するよう駆動して、キャノピー支持棒１３の第二の端部を外側に開く。この場合、下部摺動部３を手で上方向に押し続け、中央摺動部２はロックビーズ９により固定されたままであって動かず、第二の弾性部材１２は緩んだ状態から徐々に圧縮され、キャノピー支持棒１３が外側に開き続ける。
【００３１】
図３を参照すると、下部摺動部３を上方向に押す力がある程度にまで大きくなると、ロックビーズ９がシャフト１７内へと圧縮され、中央摺動部２がロックビーズ９から外れ、摺動アセンブリ１００全体がシャフト１７に沿って上方向に移動可能となる。摺動アセンブリ１００がシャフト１７の下端から上端に摺動すると、接続棒１６の第二の端部が摺動接続アセンブリ１９を押し、キャノピー支持棒１３に沿ってシャフトから離れる方向へと摺動させ、キャノピー支持棒１３とキャノピー２１とが徐々に開いていく。
【００３２】
図４を参照すると、摺動アセンブリ１００がシャフト１７の上端へと押されると、双方向ロックバックル１と第一の一方向ロックバックル７とが下方に押され、中央摺動部２と双方向ロックバックル１とが動かないようロックされる。この場合、キャノピー支持棒１３とシャフト１７との夾角はおよそ９０度である。
【００３３】
図５を参照すると、下部摺動部３は上方向に押し続けられ、第一の一方向ロックバックル７によって下部摺動部３がロックされる。この場合、傘は完全に開き、第二の弾性部材１２は圧縮状態となる。
【００３４】
図６ａ及び図６ｂを参照すると、傘を閉じる必要がある場合には、第一の一方向ロックバックル７が押され、第一の一方向ロックバックル７が下部摺動部３から外される。この時、中央摺動部２は双方向ロックバックル１によって固定されたままなので、第二の弾性部材１２の弾性効果の下、下部摺動部３は上部摺動部４がシャフト１７に沿って下方に摺動するよう駆動する。この場合、中央摺動部２は動くことができないので、点Ｂ、即ち図６において接続棒１６と中央摺動部２とがヒンジによって連結される点は動かない。キャノピー支持棒１３は、図６における点Ａを支点部（ｓｕｐｐｏｒｔ）として使用する。すなわち、キャノピー支持棒１３は、接続棒１６とキャノピー支持棒１３とが接続される点を支点部として使用する。キャノピー支持棒１３と上部摺動部４とがヒンジによって連結される点Ｃが、シャフト１７の下端に向かう方向に移動すると、点Ａは点Ｃに向かって移動する。この場合、キャノピー支持棒１３とシャフト１７との間の角度は減少し始め、キャノピー２１もシャフト１７へと折り畳まれ始める。
【００３５】
図７ａ、図７ｂ、及び図８を参照すると、下部摺動部３は下方向に引っ張られ続け、下部摺動部３はシャフト１７に沿って下方向に摺動するよう上部摺動部４を駆動し、下部摺動部３の接続スリーブ３１が双方向ロックバックル１の上端部を下方向に押す。双方向ロックバックル１の下端部もまた後退するので、中央摺動部２が双方向ロックバックル１から外れ、摺動アセンブリ１００全体がシャフト１７に沿って下方向に摺動可能となり、キャノピー支持棒１３とキャノピー２１の外表面がシャフト１７へと折り畳まれ続け、これによって傘が徐々に閉じていく。
【００３６】
図９及び図１０を参照すると、摺動アセンブリ１００は、シャフト１７の下端へと移動し続け、摺動アセンブリ１００がシャフト１７の下端に移動すると、摺動アセンブリ１００の中央摺動部２がまずロックビーズ９によってロックされる。この場合に、下部摺動部３及び上部摺動部４は、下部摺動部３が第二の一方向ロックバックル８によってロックされるまで、短い距離、下方向に移動し続けることが可能である。この場合、傘は完全に閉じて、キャノピー支持棒１３はシャフト１７の周囲に折り畳まれ、キャノピー２１の外表面はシャフト１７に近接し、キャノピー２１の内表面が外側に向く。キャノピー２１の内表面は、雨に濡れていないキャノピーの表面である。
【００３７】
図１１を参照すると、傘を完全に閉じると、使用者は、乾いた表面が外側に向いたキャノピー２１を整えて、バンドを巻き付け、握り部１８の位置に配置された自動格納式の持ち運びストラップ２２を引き出して、石突き６の留めリングに自動格納式の持ち運びストラップ２２を留める。このようにして、使用者は傘を背中に背負って歩くことが可能である。この場合、キャノピー２１の濡れた表面の雨水は下方向に流れて、上部摺動部４の上方の、キャノピー２１の濡れた表面によって囲まれた空間に集まる。しかし、上部摺動部４とシャフト１７との間に封止リング１１が設けられているので、集まった雨水がシャフト１７を伝って下方向へと漏れることはない。したがって、畳んで縛った状態の傘を持ち運ぶことで、使用者の両手が空くことになり、傘で濡れることはなく、使用者が行く場所や使用者が触れる人やものが濡れることもない。使用者が傘を背中に背負って運ぶ場合や、ハンドルを持つ場合には、傘の握り部１８が上になって石突き６が下になり、キャノピー２１の濡れた表面上の雨水はキャノピーを伝って下方向に流れ、最終的に、水溜部５内に回収され、受け止められ、貯留される。このように、周囲の場所やものが濡れることはない。
【００３８】
傘を閉じると、キャノピーの濡れた表面はシャフトに向かって内側に折り畳まれており、キャノピー支持棒は外側に回転してシャフトへと折り畳まれる。したがって、使用者は、自動車に入った後に自動車のドアを僅かに開ければ、傘を閉じることができ、更に、閉じた傘の濡れた表面は内側にあるので、周囲の人やものが濡れることはない。
【００３９】
本出願の実施態様について図面を参照しながら説明してきたが、本出願は、特定の実施態様に限定されず、これらの実施態様は例示にすぎず、何ら制限を加えるものではない。本出願によって見識を得た当業者であれば、本出願の原理や請求項の保護の範囲から逸脱することなく様々な変形を更に行うことができ、これらの変形はすべて本出願の保護の範囲内にある。
【図１】
0003206478.tif 000003
【図２】
0003206478.tif 000004
【図３】
0003206478.tif 000005
【図４】
0003206478.tif 000006
【図５】
0003206478.tif 000007
【図６ａ】
0003206478.tif 000008
【図６ｂ】
0003206478.tif 000009
【図７ａ】
0003206478.tif 000010
【図７ｂ】
0003206478.tif 000011
【図８】
0003206478.tif 000012
【図９】
0003206478.tif 000013
【図１０】
0003206478.tif 000014
【図１１】
0003206478.tif 000015
【図１２】
0003206478.tif 000016
【図１３ａ】
0003206478.tif 000017
【図１３ｂ】
0003206478.tif 000018
【図１４】
0003206478.tif 000019
【図１５】
0003206478.tif 000020
【図１６】
0003206478.tif 000021
【図１７】
0003206478.tif 000022